(57)【要約】【課題】発光出力用の共振器モードに影響を与えることなく、共振モードのＱ値が向上できるようにする。【解決手段】第１コア１０４は、フォトニック結晶本体１０１に設けられ、フォトニック結晶の格子要素１０３がない部分から構成された複数の欠陥からなる直線状の線欠陥から構成されている。第１コア１０４は、フォトニック結晶の結晶方位の方向に延在している。第１コア１０４により、励起光を導入するための導入光導波路が構成されている。第１コア１０４の幅（コア幅）は、フォトニック結晶本来の格子間隔で構成した場合より狭くされ、フォトニック結晶共振器で励起する励起光に共振しない状態とされている。【選択図】  図１
2016115783.tif 000002
【特許請求の範囲】
【請求項１】
基部および前記基部に対象とする光の波長以下の間隔で三角格子状に周期的に設けられて前記基部とは異なる屈折率の柱状の複数の格子要素を備えるフォトニック結晶本体と、
前記フォトニック結晶本体に設けられてフォトニック結晶の前記格子要素がない部分から構成された複数の欠陥からなる直線状の線欠陥から構成され、励起光を導入するための導入光導波路を構成する第１コアと、
前記第１コアの終端より１〜３個の前記格子要素からなるフォトニック結晶バリア領域を挾んで前記フォトニック結晶本体に配置され、前記格子要素が形成されていない欠陥からなる光閉じ込め部を有するフォトニック結晶共振器と、
前記光閉じ込め部に設けられた活性媒質と、
線欠陥から構成されて前記フォトニック結晶共振器で励起する励起光に共振する出力光導波路を構成する第２コアと
を備え、
前記第１コアの幅は、前記フォトニック結晶の格子間隔で構成した場合より狭くされて前記フォトニック結晶共振器で励起する励起光に共振しない状態とされている
ことを特徴とする光素子。
【請求項２】
請求項１記載の光素子において、
前記光閉じ込め部は、複数の前記欠陥が直線状に配列されていることを特徴とする光素子。
【請求項３】
請求項２記載の光素子において、
前記光閉じ込め部は、前記第１コアが配列する直線上に配列された複数の前記欠陥から構成されていることを特徴とする光素子。
【請求項４】
請求項２記載の光素子において、
前記光閉じ込め部は、前記第１コアが配列する直線に対して６０°異なる直線上に配列された複数の前記欠陥から構成されていることを特徴とする光素子。
【発明の詳細な説明】
【技術分野】
【０００１】
本発明は、フォトニック結晶によるフォトニック結晶共振器から構成された光素子に関する。
【背景技術】
【０００２】
近年、通信およびインターネットの大容量化に対応するため、光通信技術は欠くことのできないものとなっている。光通信技術では、光ファイバにより伝送されてきた光信号を回線毎に合分波および信号処理を行い、再度光ファイバに送出するといった処理が必要となる。このような処理を行う光部品については、１つのチップ上の集積したオンチップ光回路化が進んでいる。更に、チップのプラットフォームも高速化・高機能化・小型化・光電子融合化などの要件から石英系プレーナ光波回路（silica-based planar lightwave circuit：PLC）などの石英光導波路を使った回路から、シリコンフォトニクスやＩｎＰ光集積回路などの、半導体ベースの光集積回路への移行が進みつつある。
【０００３】
半導体ベースの光集積回路における究極の小型化を可能にする技術として、フォトニック結晶（Photonic Crystal）はますます重要になりつつある。最近、フォトニック結晶レーザの電流注入室温ＣＷ（Continuous Wave）発振が実現され、また１００ビットの光メモリが実現されるなど、フォトニック結晶光部品の実用化は現実に近づきつつある。
【０００４】
一方、学術的には、フォトニック結晶共振器が高いＱ値と極めて小さい閉じ込め体積を同時に実現することが大きな関心を集め、多くの研究成果が報告されてきた。特にパーセル効果などの共振器電磁力学（ｃａｖｉｔｙ−ＱＥＤ）において大きな増強が得られること、電子や正孔に特異な状態密度を与える量子ドットや量子井戸、ダイヤモンドのＮＶ中心などの機能材料の配置と組み合わせ、共振器モードとの間で強結合状態を形成できることが注目されている。これらにより将来的に、次世代技術として期待されている量子情報通信に不可欠な量子ビットや、極めて低パワーで動作する光電子素子の実現につながることが期待されている。
【０００５】
なお、ダイヤモンドのＮＶ中心は、ダイヤモンド格子中の炭素の置換位置に入った窒素（Nitrogen）と、この置換窒素に隣接する炭素原子が抜けた空孔（Vacancy）との対からなる複合不純物欠陥である。このＮＶ中心により、例えば電子スピンが形成できる。また、ＮＶ中心に対する光照射で、スピンの状態を基底状態に偏極させることができる。
【０００６】
ところで、フォトニック結晶には、１次元／２次元／３次元のものが存在するが、本発明では最も研究開発が進んでいる２次元スラブ（薄膜）型フォトニック結晶を対象とする。この種のフォトニック結晶の中で、コンパクトでＱ値の高い共振器の代表的なものとしてモードギャップ型共振器（非特許文献１参照）、および点欠陥型共振器（特許文献１参照）が挙げられる。
【０００７】
モードギャップ型共振器は、特にＱ値が高いことに加え、比較的長い線欠陥を有していることから、面内に配置した光導波路との結合も行いやすい。一方、点欠陥型共振器は、よりコンパクトであり、特に小さな閉じ込め体積を必要とする用途には最も有利であり、Ｑ値についても、十分に大きな値が得られることが報告されている（特許文献２参照）
【０００８】
以下、点欠陥型共振器について、図５を用いて説明する。図５は、２次元スラブ型のフォトニック結晶５０１の構成を示す平面図である。フォトニック結晶５０１は、板状の基部５０２と、基部５０２に設けられた柱状の複数の格子要素５０３とから構成されている。格子要素５０３は、三角格子状に配列されている。ここでは、中空構造から格子要素５０３を構成している。
【０００９】
このように構成されたフォトニック結晶５０１において、図５の（ａ）に示すように、複数の点欠陥を直線状に配列した光閉じ込め部５０４を設けることで、この周囲を反射部として光閉じ込め部５０４に光を閉じ込めることができるようになり、共振器として構成することができる。格子要素５０３のない部分が欠陥である。この場合、Ｌ型共振器と呼ばれ、図５の（ａ）に示す構成では、光閉じ込め部５０４が直線状に連続する４つの点欠陥から構成されており、Ｌ４共振器と呼ばれる。例えば、３つの点欠陥が直線状に連続して共振器を構成する場合、Ｌ３共振器となる。
【００１０】
また、図５の（ｂ）に示すように、２次元的な複数の点欠陥よりなる光閉じ込め部５０５を設けても、光閉じ込め部５０５に光を閉じ込めることができるようになり、共振器として構成することができる。この場合、Ｈ型共振器と呼ばれる。図５の（ｂ）に示す構成は、三角格子の格子点にある特定の点欠陥を中心とし、これに隣接する１周外側の円周上の６個の格子点に点欠陥を配置して光閉じ込め部５０５としており、Ｈ２共振器と呼ばれる。例えば、１つの点欠陥より構成した場合、Ｈ１共振器となる。Ｈ型共振器を構成する光閉じ込め部５０５は、六方対称性を有し６重極モードを有する。
【００１１】
また、図５の（ｃ）に示すように、周囲より間隔を開けて配置した格子要素５０３よりなる光閉じ込め部５０６を設けても、光閉じ込め部５０６に光を閉じ込める共振器とすることができる。この共振器は、点欠陥を用いておらず、６重極モードを有しないが、慣用的にＨ０共振器と呼ばれている。
【００１２】
これらの共振器は、光閉じ込め部周囲のフォトニック結晶が有するフォトニックバンドギャップ（ＰＢＧ）により内部に光を閉じ込めている。また、フォトニック結晶の無い板厚方向に対しては、基部５０２と、基部５０２周囲の空気や誘電体などからなるクラッド層との屈折率差により光を閉じ込めている。  基部５０２内を進行する光において、境界面に対し全反射の臨界角より小さい入射角に相当する運動量（波数）を有するものは基部５０２外に放射される。
【００１３】
波数空間において全反射されない光の領域はライトコーンと呼ばれる。フォトニック結晶においては、屈折・反射に加え回折により面外放射を制御できる。照明や液晶バックライト等に使用されている高出力面型発光ダイオードは、表面にフォトニック結晶ないし類似の構造を設けることで、光の成分をライトコーン内に集中させ、外部への光取出効率を高めている。ナノ共振器の設計指針はこれとは正反対に、ライトコーン内の波数に相当する光の成分を抑制することで、光の面外放射を抑制して共振器Ｑ値を高めている。
【００１４】
また、図５の（ｄ）に示すように、複数の欠陥を連続して直線状に配置した線欠陥からなるコア部５０７を設けることで、光導波路とすることができる。三角格子の１辺を延長する方向に沿う線欠陥によりコア部を構成することができる。このとき、複数の点欠陥を１列に並べた線欠陥によるコア部５０７から構成した光導波路は、帯域が十分広く、唯一横モードが単一モードとなる。これは、導波する光がコア部５０７の延在方向に進行するとき、板状の基部５０２の平面内で延在方向に垂直な方向の１つしかたたないシングルモードになることを意味する。このため、複数の点欠陥を１列に並べた線欠陥によるコア部による光導波路構造（Ｗ１光導波路）は、広く採用されている。
【００１５】
Ｗ１光導波路の特性は、光導波路両側のフォトニック結晶（格子要素群）をシフトさせ光導波路幅を変調することで制御可能である。前述したモードギャップ共振器は、Ｗ１光導波路をベースとし、光導波路の一部に局所的な幅の変調や埋め込みヘテロ構造の配置などの部分的な構造変調を加える（一部分だけ構造を変える）ことで、導波モード端に光を閉じ込めるようにしている。
【００１６】
上述したフォトニック結晶共振器において、外部に設けた励起光源より共振器中心（光閉じ込め部中心）に配置した活性媒質に励起光を供給することで、利得を発生させて発光させることができる。このようにフォトニック結晶発光素子として動作させる場合において、共振器がモードギャップ共振器である場合は、共振モードよりも短波長の光に対して光導波路となる中心線欠陥を伴うため、励起光の共振器への導入は制限が少なく容易である。上述したフォトニック結晶共振器においては、Ｗ１光導波路の一部の幅を変え、または板状の基部の一部に埋め込みへテロ構造を設けることで構成したモードギャップ型共振器の光閉じ込め部に、同じＷ１光導波路を経由して励起光を届けることが可能になる。
【００１７】
実際に、非特許文献２では中心線欠陥を介して励起光を導入している。これに対し、Ｌ型共振器およびＨ型共振器は、構造上周囲を完全にフォトニック結晶に囲まれており、また全方位のフォトニック結晶による光閉じ込めを基盤としていることから、線欠陥を用いた光導波路による励起光の導入は困難である。
【００１８】
これらのＬ型共振器およびＨ型共振器でも、実験室レベルでは、例えば励起光をフォトニック結晶の上下からレンズ等の空間光学系により共振器付近に絞り込んで照射することによりレーザ発振が達成されている。しかしこの技術では、大型かつ高価な空間光学系を用いても励起効率は十分高くならない。加えて、発光に寄与する活性媒質の領域の大きさ（面積）および光学系で絞り込んだスポット径は、ともに平方μｍのスケールであり、両者の精密な位置合わせが常時必要なため、光部品に採用することは困難であった。
【００１９】
空間光学系を用いることなく安定的に光励起を行い、低消費電力でコンパクトな光部品として成立させるためには、同じチップ（基板）上でフォトニック結晶面内に設けた結合光導波路から高い効率で励起光を導入することが重要となる。
【００２０】
フォトニック結晶内にＬ型またはＨ型共振器と光導波路を配置する場合のレイアウトには図６に示す構成と、図７に示す構成とがある。図６に示す構成では、Ｌ３共振器となる光閉じ込め部６０１に対し、図６の紙面上方に配置されたＷ１光導波路６０２から励起光度導入する。または、光閉じ込め部６０１に対し、図６の紙面右下側に配置されたＷ１光導波路６０３から励起光を導入する。
【００２１】
この構成では、光閉じ込め部６０１の共振モードと、Ｗ１光導波路６０２またはＷ１光導波路６０３の光導波路モードとの結合のみが、励起光入力手段となり、励起光を共振モードに同調（共振）させることが、光閉じ込め部６０１および光閉じ込め部６０１に配置した活性媒質に励起光を導入させる条件となる。言い換えると、励起光を共振モードに共振させないと、活性媒質に励起光を導入することができない。励起光の波長にはフォトニック結晶のＰＢＧが存在しない状態では、フォトニック結晶に励起光が存在できることになるが、上述した構成では、光導波路の軸上から共振器の位置が外れているため、共振モードに共振していない場合は、共振器に励起光が入射することは無い。
【００２２】
一方で、励起光を共振器共振モードと同調させる場合、励起波長と出力波長とを同じとすることは応用上問題があるため、励起波長および出力波長に、各々異なる共振モードを割り当てる。しかし例えば非特許文献３にあるように、２つの共振器モードの相対波長間隔は、Ｌ２、Ｌ３などの基本共振器構造と結晶パラメータとに制約され決定され、応用用途に合わせ自由に設定することは困難である。
【００２３】
例えば、Ｌ２共振器やＬ３共振器などの２つの共振器モードの波長間隔が５０ｎｍの場合、発光波長を１５５０ｎｍに合わせるとすると、励起光の波長は１５００ｎｍに設定する必要があった。加えて、共振モードの線幅が一般に狭いため、これに励起光を同調させるためには、励起光源として精密な波長設定が可能な高価な波長可変光源が必要になる。
【００２４】
今日では、量産され安価で高出力の励起用の光源として、波長４０５ｎｍのＩｎＧａＮレーザ、波長８５０ｎｍのＡｌＧａＡｓレーザ、波長９８０ｎｍのＩｎＧａＡｓレーザ、波長１３００ｎｍのＩｎＧａＡｓＰレーザなどの電流注入型半導体レーザが市販されている。これらの固定波長光源に共振器モードを同調させると、発光波長も固定されてしまい、応用上有用な波長に設定できないことになり問題となる。
【００２５】
２つの共振モードの一方を発光出力に使用し、他方を光励起に使用する場合、両方のモードを光導波路に結合させる必要がある。デバイス動作時の共振器Ｑ値は、共振器内部Ｑ値と光導波路との結合により決定される。この場合、発光（レーザ発振）に用いる共振モードのＱ値を最適に設定すると、励起光に用いるモードのＱ値が最適にならない場合がある。逆に、光励起に最適になるように光導波路設計をすると、信号処理用のモードのＱ値を必ずしも最適にできないという問題があった。
【００２６】
また、共振器の設計上、光励起用と光出力用との２つの共振モードの両方に必要な性能を与えるのが困難な場合がある。また、共振モードが１つしか存在しない場合が存在するという問題があった。
【００２７】
今日の半導体発光素子においては、効率上の要求により活性媒質には量子井戸構造が採用されている。しかしながら光励起の場合、励起光を体積が極めて小さい量子井戸層に吸収させるよりも、量子井戸バリア層あるいは量子井戸層よりもバンドギャップの大きい光吸収層に吸収させるほうが、特に大きな出力を得るために有利である。この場合、励起光の波長と素子発光波長との差は、通常数十から数百ｎｍと大きくなる。このような大きな間隔の共振器モードを設計により与えることは通常困難である。このため、フォトニック結晶共振器を用いた半導体発光素子の活性媒質に励起光を供給する場合、励起光を共振器モードに同調させることなく活性媒質に供給できることが望ましい。このようにすることで、発光波長が励起光波長により制約を受けることもなくなる。
【００２８】
光励起の場合、フォトニック結晶共振器発光素子に対し、励起光用と発光出力光用の光導波路をモノリシックに設けることが重要となる。励起光が共振器モードに同調していない状況において、共振器内に配置した活性媒質に光を導入させるためには、励起光を活性媒質が直線延長線上にあるように設けた光導波路から導入することが必要である。
【００２９】
励起光の波長がフォトニック結晶のＰＢＧの外にある場合、材料吸収を無視すれば光導波路の終端から数〜十数μｍは大きく減衰せずに光導波路の延長線上を伝搬する。励起光の波長がＰＢＧ内にある場合はＰＢＧによる反射と減衰が加わる。この場合、光導波路終端と共振器中心（光閉じ込め部中心）との間は、励起光に対してフォトニック結晶バリア領域となる。しかしながら、この場合においても、フォトニック結晶の数周期程度は、励起光が侵入すると考えられる。従って、活性媒質が直線延長線上に配置される構成の光導波路の終端を、共振器に近づけ、フォトニック結晶バリア領域を極めて狭くすれば、共振器中心の活性媒質の励起が可能になる。
【００３０】
Ｌ型およびＨ型共振器は、三角格子フォトニック結晶内に形成されるため、励起光導入用の光導波路は、フォトニック結晶の結晶方位に平行に配置されたＷ１型線欠陥光導波路となる。上述したように、光導波路終端と共振器との間のフォトニック結晶バリア領域を極めて狭くする（可能な範囲で光導波路終端を共振器に近づける）ことで、励起光がフォトニック結晶バリア領域を透過する際の損失を許容範囲に抑えることができる。
【００３１】
非特許文献４に示されているように、従来のＬ型共振器に対し同軸直線上に配置する形で提案報告されている結合光導波路は全て、Ｗ１光導波路の線欠陥幅をＷ１よりも５％以上広くする変調を加えている。これは、Ｌ型共振器がＱ値の高い基本モードの利用を必須としてきたため、基本モード波長を光導波路の帯域内に確実に収容しつつ、損失の高いモード端付近を基本モードから遠ざける必要があるためである。
【先行技術文献】
【特許文献】
【００３２】
【特許文献１】特開２０１４−０４１８７１号公報
【非特許文献】
【００３３】
【非特許文献１】E. Kuramochi, M. Notomi, S. Mitsugi, A. Shinya, and T. Tanabe, "Ultrahigh-Q photonic crystal nanocavities realized by the local width modulation of a line defect", Applied Physics Letters, vol.88, 041112, 2006.
【非特許文献２】S. Matsuo, A. Shinya, T. Kakitsuka, K. Nozaki, T. Segawa, T. Sato, Y. Kawaguchi and M. Notomi , "High-speed ultracompact buried heterostructure photonic-crystal laser with 13 fJ of energy consumed per bit transmitted", Nature Photonics, vol.4, pp.648-654, 2010.
【非特許文献３】E. Kuramochi, E. Grossman, K. Nozaki, K. Takeda, A. Shinya, H. Taniyama, and M. Notomi, "Systematic hole-shifting of L-type nanocavity with an ultrahigh Q factor", Optics Letters, vol.39, no.19, pp.5780-5783, 2014.
【非特許文献４】M. Notomi, A. Shinya, S. Mitsugi, E. Kuramochi, and H-Y. Ryu, "Waveguides, resonators and their coupled elements in photonic crystal slabs", Optics Express, vol.12, no.8, pp.1551-1561, 2004.
【非特許文献５】E. Kuramochi, K. Nozaki, A. Shinya, K. Takeda, T. Sato, S. Matsuo, H. Taniyama, H. Sumikura and M. Notomi, "Large-scale integration of wavelength-addressable all-optical memories on a photonic crystal chip", Nature Photonics, vol.8, pp.474-481, 2014.
【発明の概要】
【発明が解決しようとする課題】
【００３４】
しかしながら、図７に示すように、従来知られている構成のＷ１光導波路７０２，７０３を、光閉じ込め部７０１と同軸直線上に配置した上で、光閉じ込め部７０１の極めて近くで終端すると、発光出力用の共振器モードも励起光導入用のＷ１光導波路７０２と強く結合することになる。このため、意図しない信号光の、励起光導入用のＷ１光導波路７０２への漏れ出しが発生することになる。この状態では、共振器モードのＱ値低下を招くことになり問題となる。なお、Ｗ１光導波路７０２に対し、同軸直線上に配置しない状態でＷ１光導波路７０３ａを配置することで、共振器（光閉じ込め部７０１）を通り抜けた励起光がＷ１光導波路７０３ａに入ることが抑制できる。ここで、図７では、光閉じ込め部７０１を１つの点欠陥で構成しているが（Ｈ１共振器）、直線状に配置した３つの点欠陥（Ｌ３共振器）、直線状に配置した３つの点欠陥（Ｌ４共振器）で構成する場合も同様である。
【００３５】
また、共振器（光閉じ込め部）近傍への光導波路の配置そのものが、共振器構造に変調を加えＱ値を低下させる恐れがあった。以上に説明したように、従来では、共振モードのＱ値を向上させようとすると、発光出力用の共振器モードに影響を与えてしまうという問題があった。
【００３６】
本発明は、以上のような問題点を解消するためになされたものであり、発光出力用の共振器モードに影響を与えることなく、励起光の活性媒質への入射効率を高めることができるようにすることを目的とする。
【課題を解決するための手段】
【００３７】
本発明に係る光素子は、基部および基部に対象とする光の波長以下の間隔で三角格子状に周期的に設けられて基部とは異なる屈折率の柱状の複数の格子要素を備えるフォトニック結晶本体と、フォトニック結晶本体に設けられてフォトニック結晶の格子要素がない部分から構成された複数の欠陥からなる直線状の線欠陥から構成され、励起光を導入するための導入光導波路を構成する第１コアと、第１コアの終端より１〜３個の格子要素からなるフォトニック結晶バリア領域を挾んでフォトニック結晶本体に配置され、格子要素が形成されていない欠陥からなる光閉じ込め部を有するフォトニック結晶共振器と、光閉じ込め部に設けられた活性媒質と、線欠陥から構成されてフォトニック結晶共振器で励起する励起光に共振する出力光導波路を構成する第２コアとを備え、第１コアの幅は、フォトニック結晶の格子間隔で構成した場合より狭くされてフォトニック結晶共振器で励起する励起光に共振しない状態とされている。
【００３８】
上記光素子において、光閉じ込め部は、複数の欠陥が直線状に配列されていればよい。
【００３９】
上記光素子において、光閉じ込め部は、第１コアが配列する直線上に配列された複数の欠陥から構成されていればよい。また、光閉じ込め部は、第１コアが配列する直線に対して６０°異なる直線上に配列された複数の欠陥から構成されているようにしてもよい。
【発明の効果】
【００４０】
以上説明したように、本発明によれば、第１コアの幅を、フォトニック結晶の格子間隔で構成した場合より狭くしたので、発光出力用の共振器モードに影響を与えることなく、励起光の活性媒質への入射効率を高めることができるという優れた効果が得られる。
【図面の簡単な説明】
【００４１】
【図１】図１は、本発明の実施の形態１における光素子の構成を示す平面図である。
【図２】図２は、実施の形態１における光素子に対してＦＤＴＤによる解析を行った結果を示す説明図である。
【図３】図３は、実施の形態１におけるフォトニック結晶バリア領域１０６の幅を、２穴列、３穴列、４穴列とした各条件における共振器Ｑ値の変化を示す特性図である。
【図４】図４は、本発明の実施の形態２における光素子の構成を示す平面図である。
【図５】図５は、２次元スラブ型のフォトニック結晶５０１の構成を示す平面図である。
【図６】図６は、フォトニック結晶内にＬ型共振器と光導波路を配置した状態を示す説明図である。
【図７】図７は、フォトニック結晶内にＨ型共振器と光導波路を配置した状態を示す説明図である。
【発明を実施するための形態】
【００４２】
以下、本発明の実施の形態について図を参照して説明する。
【００４３】
［実施の形態１］
はじめに、本発明の実施の形態１について、図１を用いて説明する。図１は、本発明の実施の形態１における光素子の構成を示す平面図である。この光素子は、フォトニック結晶本体１０１、第１コア１０４、光閉じ込め部１０５、第２コア１０７を備える。
【００４４】
フォトニック結晶本体１０１は、基部１０２および基部１０２に対象とする光の波長以下の間隔で三角格子状に周期的に設けられて基部１０２とは異なる屈折率の柱状の複数の格子要素１０３を備える。フォトニック結晶本体１０１は、いわゆるスラブ型のフォトニック結晶である。基部１０２は、例えばＩｎＰから構成されている。格子要素１０３は、例えば円柱状の中空構造である。
【００４５】
第１コア１０４は、フォトニック結晶本体１０１に設けられ、フォトニック結晶の格子要素１０３がない部分から構成された複数の欠陥からなる直線状の線欠陥から構成されている。第１コア１０４は、フォトニック結晶の結晶方位の方向に延在している。第１コア１０４により、励起光を導入するための導入光導波路が構成されている。
【００４６】
光閉じ込め部１０５は、格子要素１０３が形成されていない欠陥から構成されている。実施の形態１において、光閉じ込め部１０５は、複数の欠陥が直線状に配列され、また、第１コア１０４が配列する直線上に配列されている。また、光閉じ込め部１０５は、第１コア１０４の終端１０４ａより、フォトニック結晶バリア領域１０６を挾んでフォトニック結晶本体１０１に配置されている。なお、フォトニック結晶バリア領域１０６は、１〜３個の格子要素１０３から構成されている。光閉じ込め部１０５と、光閉じ込め部１０５の周囲のフォトニック結晶領域との境界によるミラー領域とから、フォトニック結晶共振器が構成される。
【００４７】
また、光閉じ込め部１０５に、活性媒質（不図示）が設けられている。活性媒質は、例えばＩｎＧａＡｓ層からかるコア層の上下を、ＩｎＧａＡｓＰからなるクラッド層で覆った構成とされ、光閉じ込め部１０５の基部１０２に埋め込まれた埋め込みヘテロ（buried heterostructure；ＢＨ）構造とされている。活性媒質を備えることで、フォトニック結晶共振器は、レーザや光変調器などの光素子として機能させることができる。
【００４８】
また、第２コア１０７は、線欠陥から構成されてフォトニック結晶共振器で励起する励起光に共振する出力光導波路を構成する。第２コア１０７は、第１コア１０４が延在する直線上に配置され、第１コア１０４と同じ結晶方位の方向に延在している。なお、第２コア１０７は、第１コア１０４と同じ結晶方位の方向に延在している必要はない。第２コア１０７は、第１コア１０４が延在する結晶方位とは６０°または１２０°異なる方向に延在していてもよい。この場合、図１の紙面において、光閉じ込め部１０５の上側または下側に、第２コア１０７が配置されればよい。また、同じ結晶方位であっても、第１コア１０４が延在する直線上よりずれた位置に、第２コア１０７ａを配置してもよい。このようにすることで、フォトニック結晶共振器（光閉じ込め部１０５）を通り抜けた励起光が、第２コア１０７ａに入ることが抑制できる。
【００４９】
上述した構成に加え、実施の形態１の光素子では、第１コア１０４の幅（コア幅）は、フォトニック結晶本来の格子間隔で構成した場合より狭くされ、フォトニック結晶共振器で励起する励起光に共振しない状態とされている。例えば、第１コア１０４の両脇の格子要素群１２１を、各々第１コア１０４の側にずらす（シフトする）ことで、第１コア１０４のコア幅を狭くすればよい。なお、第１コア１０４が延在する方向に垂直な方向の側部を「脇」としている。
【００５０】
なお、実施の形態１では、第１コア１０４が延在する方向で光閉じ込め部１０５を挾む領域に、Ｑ値向上構造を設けている。Ｑ値向上構造は、格子要素１１１，１１２，１１３，１１４から構成されている。格子要素１１１，１１２は、光閉じ込め部１０５より離れる方向にシフトし、格子要素１１３，１１４は、光閉じ込め部１０５に近づく方向にシフトしている。いずれも結晶方位の方向にシフトしている（特許文献１参照）。上記構成とすることで、実施の形態１におけるフォトニック結晶共振器のＱ値を向上させることができる。
【００５１】
上述したように、第１コア１０４のコア幅を狭くし、加えて、フォトニック結晶バリア領域１０６を狭くしたので、フォトニック結晶共振器の共振モードと同調することなく、光閉じ込め部１０５に対して励起光の導入が行えるようになる。具体的には、第１コア１０４の両脇の格子要素群１２１をシフトさせることで、フォトニック結晶本来の格子間隔で構成した場合に比較し、第１コア１０４のコア幅を８％減ずればよい。
【００５２】
例えば、フォトニック結晶の格子定数が４３４ｎｍであれば、フォトニック結晶本来の格子間隔で構成した一列の線欠陥によるコア幅は、７５２ｎｍとなる。これに対し、第１コア１０４の両脇の格子要素群１２１を第１コア１０４の側に、各々３０ｎｍシフトし、第１コア１０４のコア幅を６９２ｎｍとすればよい。
【００５３】
このようにコア幅を６０ｎｍ細くすれば、第１コア１０４による光導波路のモード端が約６０ｎｍ短波長側にずれ、フォトニック結晶共振器の基本共振モードが、第１コア１０４のモード端の帯域外になる。結果としてフォトニック結晶共振器基本モードは、第１コア１０４と結合することなく、光が漏れ出すことが無くなるため、フォトニック結晶共振器のＱ値が高く保たれる。
【００５４】
次に、フォトニック結晶バリア領域１０６について説明する。フォトニック結晶バリア領域１０６は、可能な範囲で狭くする。上述したように、励起光がフォトニック結晶共振器の共振モードと同調しない構成としているので、励起光は、フォトニック結晶バリア領域１０６を透過させることで、光閉じ込め部１０５に導入させる。このため、励起光がフォトニック結晶バリア領域１０６を透過する際の、散乱損失を最小化する必要がある。
【００５５】
実施の形態１では、格子要素１１１，１１２，１１３，１１４から構成したＱ値向上構造を用いているため、フォトニック結晶バリア領域１０６は、最低２つの格子要素１０３から構成する。
【００５６】
実施の形態１では、波長が９８０ｎｍの半導体レーザ光源を励起光に用いることを想定している。この励起光の波長は、光導波路モードでライトコーン内となるため、フォトニック結晶本体１０１外への回折損失が発生する。しかしながら、第１コア１０４による導入光導波路の導波路長が、１００μｍよりも短く、励起光源の出力が十分に強ければ、回折損失が応用上許容できる範囲である。また励起光の波長９８０ｎｍは、フォトニック結晶のＰＢＧの帯域外であるが、これはフォトニック結晶バリア領域１０６を透過する際の損失が減少するので都合が良い。
【００５７】
励起光の波長を１３００ｎｍにした場合、フォトニック結晶本体１０１のＰＢＧ帯域内となるため、フォトニック結晶本体１０１バリアにおける散乱損失がより大きくなる。しかしながら、フォトニック結晶バリア領域１０６の幅を穴数列分に抑えれば、損失はやはり許容できる範囲である。第１コア１０４による励起光導入用の光導波路（導入光導波路）においては、励起光の波長がＰＢＧ帯域の内外どちらかにかかわらず、屈折率閉じ込めにより励起光は伝搬する。
【００５８】
導入光導波路の終端１０４ａから先は、導波する構成となっていないために励起光は拡散するが、光の直進性が強いため、導入光導波路の導波方向同軸上に近接して共振器を配置することにより、光閉じ込め部１０５に十分強い励起光の導入が可能となる。光励起の共振器モードに結合しない状態であっても、例えば、光閉じ込め部１０５に埋め込まれた活性媒質に、十分な強度の励起光が届けば利得が発生するため、レーザ発振や光増幅などの光素子動作が可能となる。
【００５９】
本発明の特徴は、第１コア１０４を光閉じ込め部１０５の近くに配置しても、フォトニック結晶共振器のＱ値が高く保たれることである。以下、広く採用されている電磁界解析手法である有限差分時間領域法（ＦＤＴＤ）によりシミュレーションを実施した結果について説明する。
【００６０】
この解析では、光閉じ込め部１０５には埋め込みヘテロ構造が埋め込まれていない状態の、フォトニック結晶共振器のみの構造を対象としている。また、格子要素１１１は、光閉じ込め部１０５より離れる方向に、格子定数×０．３０７５シフトさせ、格子要素１１２は、光閉じ込め部１０５より離れる方向に、格子定数×０．１５３７５シフトさせる。格子要素１１３は、光閉じ込め部１０５に近づく方向に、格子定数×０．０６３シフトさせ、格子要素１１４は、光閉じ込め部１０５に近づく方向に、格子定数×０．０３１５シフトさせる。第１コア１０４が無い場合で基本共振器モードの波長は１５６５ｎｍ、Ｑ値は１６０万となる。
【００６１】
上記構成において、第１コア１０４のコア幅を、フォトニック結晶本来の格子間隔で構成した場合に比較して８％狭くし、フォトニック結晶バリア領域１０６の幅を、２穴列とした条件で、ＦＤＴＤによる解析を行った。解析の結果を図２に示す。図２において、（ａ）は、第１コア１０４のコア幅を８％狭くした状態の計算モデルを示し、（ｂ）は、この場合の電磁界分布を示す。また、図２において、（ｃ）は、コア幅をフォトニック結晶本来の格子間隔で構成した第１コア１４１による計算モデルを示し、（ｄ）は、この場合の電磁界分布を示す。
【００６２】
図２に示す通り、コア幅を８％狭くすると、共振器モードから第１コア１０４への光漏れは大きく抑制されている。一方、コア幅をフォトニック結晶本来の格子間隔で構成した第１コア１４１に対しては、著しい光漏れが発生している。
【００６３】
また、図３に、フォトニック結晶バリア領域１０６の幅を、２穴列、３穴列、４穴列とした各条件における共振器Ｑ値の変化を示す。図３において、（ａ）は、第１コア１０４のコア幅を８％狭くした場合の変化を示し、（ｂ）は、コア幅をフォトニック結晶本来の格子間隔で構成した場合を示している。実施の形態１における第１コア１０４においては、第１コア１０４への光漏れが大幅に抑制されるためＱ値の減少が抑制される。また、フォトニック結晶バリア領域１０６の幅が、がわずか２穴列の場合でも２５万程度の有用なＱ値となり、更に３穴列以上の場合に、Ｑ値が１００万以上を維持できる。
【００６４】
以上に説明したように、実施の形態１によれば、共振器モードのＱ値を維持しながら、第１コア１０４による励起光導入光導波路を、光閉じ込め部１０５によるフォトニック結晶共振器の延長線上に極めて近接して配置することが可能となる。これにより、共振器モードに結合しない励起光を効率よく光閉じ込め部１０５の活性媒質に供給することが可能になる。
【００６５】
実施の形態１では、第１コア１０４の幅を狭くすることで、励起光導入光導波路の導波帯域を、共振器モードよりも短波長側にずらすことを実現した。なお、これに限るものではなく、第１コア１０４を形成する領域の格子要素の直径を拡大することで、第１コア１０４の幅を狭くするようにしてもよい。また、第１コア１０４を形成する領域の格子要素の格子間を短周期化することで、第１コア１０４の幅を狭くするようにしてもよい。また、第１コア１０４を形成する領域は、屈折率の小さい材料を採用することで、実質的に第１コア１０４の幅を狭くするようにしてもよい。
【００６６】
また、活性媒質は、埋め込みヘテロ構造ではなく、フォトニック結晶全面あるいは光閉じ込め部１０５に選択的に形成された量子ドットや量子井戸層などの量子構造から構成してもよい。また、共振器はＬ３型以外のＬ型共振器またはＨ型共振器であっても良い。
【００６７】
［実施の形態２］
次に、本発明の実施の形態２について、図４を用いて説明する。図４は、本発明の実施の形態２における光素子の構成を示す平面図である。この光素子は、フォトニック結晶本体２０１、第１コア２０４、光閉じ込め部２０５、第２コア２０７を備える。
【００６８】
フォトニック結晶本体２０１は、基部２０２および基部２０２に対象とする光の波長以下の間隔で三角格子状に周期的に設けられて基部２０２とは異なる屈折率の、柱状の複数の格子要素２０３を備える。格子要素２０３は、例えば円柱状の中空構造である。
【００６９】
第１コア２０４は、フォトニック結晶本体２０１に設けられ、フォトニック結晶の格子要素２０３がない部分から構成された複数の欠陥からなる直線状の線欠陥から構成されている。第１コア２０４は、フォトニック結晶の結晶方位の方向に延在している。第１コア２０４により、励起光を導入するための導入光導波路が構成されている。また、第１コア２０４の幅（コア幅）は、フォトニック結晶本来の格子間隔で構成した場合より狭くしている。例えば、第１コア２０４の両脇の格子要素群２２１を、各々第１コア２０４の側にずらす（シフトする）ことで、第１コア２０４のコア幅を狭くすればよい。
【００７０】
光閉じ込め部２０５は、格子要素２０３が形成されていない欠陥から構成されている。実施の形態２においても、光閉じ込め部２０５は、複数の欠陥が直線状に配列されている。また、光閉じ込め部２０５は、第１コア２０４の終端２０４ａより、フォトニック結晶バリア領域２０６を挾んでフォトニック結晶本体２０１に配置されている。また、実施の形態２において、光閉じ込め部２０５は、第１コア２０４が配列する直線２１１に対して６０°異なる直線２１２上に配列された複数の欠陥から構成されている。
【００７１】
なお、フォトニック結晶バリア領域２０６は、１〜３個の格子要素２０３から構成されている。光閉じ込め部２０５と、光閉じ込め部２０５の周囲のフォトニック結晶領域との境界によるミラー領域とから、フォトニック結晶共振器が構成される。また、光閉じ込め部２０５に、活性媒質が設けられている。活性媒質を備えることで、フォトニック結晶共振器は、レーザや光変調器などの光素子として機能させることができる。
【００７２】
また、第２コア２０７は、線欠陥から構成されてフォトニック結晶共振器で励起する励起光に共振する出力光導波路を構成する。第２コア２０７は、第１コア２０４が延在する直線２１１上に配置され、第１コア２０４と同じ結晶方位の方向に延在している。なお、第２コア２０７は、第１コア２０４と同じ結晶方位の方向に延在している必要はない。第２コア２０７は、第１コア２０４が延在する結晶方位とは６０°または１２０°異なる方向に延在していてもよい。この場合、図４の紙面において、光閉じ込め部２０５の上側または下側に、第２コア２０７が配置されればよい。また、同じ結晶方位の方向であっても、第１コア２０４が延在する直線上よりずれた位置に、第２コア２０７ａを配置してもよい。このようにすることで、フォトニック結晶共振器（光閉じ込め部２０５）を通り抜けた励起光が、第２コア２０７ａに入ることが抑制できる。
【００７３】
実施の形態２においても、コア幅をフォトニック結晶本来の格子間隔とした導入光導波路を用いる限りは、共振器モードと導入光導波路との結合が発生し、フォトニック結晶共振器からの光漏れが発生する。これに対し、幅を狭くした第１コア２０４により導入光導波路を構成すれば、基本共振器モードの導入光導波路との結合が無くなるため、同共振モードのＱ値低下は抑制される。なお、フォトニック結晶バリア領域２０６は、可能な限り狭くすることが望ましいが、格子要素群２２１のシフト変調が共振器性能に影響を与えることを考えると、直線２１１上の穴数が３あるいは２程度が、最も狭くなる構成と考えられる。
【００７４】
以上に説明したように、本発明によれば、フォトニック結晶共振器に励起光を導入するための導入光導波路を構成する第１コアのコア幅を狭くしたので、導入光導波路に対する共振器モードからの光漏れが抑制されるようになり、発光出力用の共振器モードに影響を与えることなく、励起光の活性媒質への入射効率を高めることができるようになる。また、導入光導波路（第１コア）と出力光導波路（第２コア）とを独立に配置できるので、信号光処理用の光導波路結合やＱ値の設定は、光励起用光導波路に左右されることなく任意に設定可能になる。また励起光が出力光導波路に混入して出力されることは、設計を適切に行えば無視できる程度に抑制できる。本発明は、フォトニック結晶共振器による光励起レーザ・発光ダイオード・光アンプ等への応用に特に有用と考えられる。
【００７５】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００７６】
１０１…フォトニック結晶本体、１０２…基部、１０３…格子要素、１０４…第１コア、１０４ａ…終端、１０５…光閉じ込め部、１０６…フォトニック結晶バリア領域、１０７…第２コア、１１１，１１２，１１３，１１４…格子要素、１２１…格子要素群。
【図１】
2016115783.tif 000003
【図３】
2016115783.tif 000004
【図４】
2016115783.tif 000005
【図５】
2016115783.tif 000006
【図６】
2016115783.tif 000007
【図７】
2016115783.tif 000008
【図２】
2016115783.tif 000009